(57)【要約】【課題】Ｉインタフェースの低廉な専用線ネットワークを提供する。【解決手段】加入者宅１，５は、Ｉインタフェースを具備しユーザによって操作される通信端末装置ａと、通信端末装置から出力されるＩインタフェース信号を受信するとＡＴＭセル化してＳＳＤＳＬ信号に符号化し、電話局からＳＳＤＳＬ信号を受信するとＡＴＭセルに復号化してＡＴＭセルからＩインタフェース信号を抽出し通信端末装置に出力するＳＳＤＳＬモデムｂを備える。電話局２，４は、ＳＳＤＳＬモデム機能を有し、加入者宅から受信したＳＳＤＳＬ信号を復号化してＡＴＭセルをＳＴＭ−１信号に多重変換し、ＳＴＭ−１信号からＡＴＭセルを抽出して、ＳＳＤＳＬ信号に符号化して加入者宅へ送信するＳＳＤＳＬ回線終端装置ｃと、ＳＳＤＳＬ回線終端装置およびＡＴＭネットワークにダーク・ファイバーで接続され、ＳＴＭ−１信号の入出力につきＶＰ単位でパス切替を行うＡＴＭスイッチｄを備える。【選択図】        図１
2005012463.tif 000002
【特許請求の範囲】
【請求項１】
複数の加入者宅が接続された複数の電話局がＡＴＭネットワークを介して接続された専用線ネットワークであって、
前記加入者宅は、Ｉインターフェースを具備しユーザによって操作される通信端末装置と、前記通信端末装置から出力されるＩインターフェース信号を受信するとＡＴＭセル化してＳＳＤＳＬ信号に符号化し、また、前記電話局からＳＳＤＳＬ信号を受信するとＡＴＭセルに復号化してＡＴＭセルからＩインターフェース信号を抽出し前記通信端末装置に出力するＳＳＤＳＬモデムとを備え、
前記電話局は、ＳＳＤＳＬモデム機能を有し、前記加入者宅から受信したＳＳＤＳＬ信号を復号化してＡＴＭセルをＳＴＭ−１信号に多重変換し、また、前記ＡＴＭネットワークからのＳＴＭ−１信号を受信するとＡＴＭセルを抽出して、ＳＳＤＳＬ信号に符号化して加入者宅へ送信するＳＳＤＳＬ回線終端装置と、前記ＳＳＤＳＬ回線終端装置および前記ＡＴＭネットワークにダーク・ファイバーで接続され、前記ＳＴＭ−１信号の入出力につきＶＰ単位でパス切替を行うＡＴＭスイッチとを備えたことを特徴とする専用線ネットワーク。
【発明の詳細な説明】
【０００１】
【発明の属する技術分野】
本発明は専用線ネットワーク、特に、Ｉインタフェースをユーザに提供する専用線ネットワークに関する。ここに、Ｉインタフェースとは、ＩＴＵ−Ｔが標準勧告を出している、ＩＳＤＮとユーザ端末間の国際標準インタフェースをいう。
【０００２】
【従来の技術】
従来のこの種の専用線ネットワークの一例を図２に示す（文献公知発明ではない）。図２において、６は通信端末装置ａと回線終端装置ｅを設置している加入者宅、７は加入者線終端装置ｆと回線編集及び多重／分離機能を有する伝送端局装置ｇを設置している電話局、８はＳＤＨネットワーク、９は多重／分離機能及び回線編集機能を有する伝送端局装置ｇと加入者線終端装置ｆを設置している電話局、１０は回線終端装置ｅと通信端末装置ａを設置している加入者宅である。加入者線終端装置ｆには、多数の回線終端装置ｅが接続されるが、図面の煩雑化を回避するため図示を省略している。
【０００３】
このような専用線ネットワークは、常時接続によるリアル・タイム通信、定額料金、用途に合わせた豊富なサービス・メニュー、高信頼性という特徴的なサービスを提供することができる。そのために、サービス・メニューの伝送速度毎に個別インターフェースを備え、また、高信頼性を得るためのオプション機能として、回線故障に備えて冗長構成を設けている。
【０００４】
また、トラフィックが高く専用線のあふれ呼が発生した場合のみ、ＩＳＤＮ網を通じて仮想化専用線を設定することにより必要に応じて専用線の回線数を増加できるようして、通常専用線の回線数削減及び専用線障害時のバックアップを図った技術が知られている（例えば、特許文献１参照）。
【０００５】
【特許文献１】
特許第２９１９１６５号
【０００６】
【発明が解決しようとする課題】
ところで、近年、ＡＤＳＬ等のサービスが流行し始め、日本国内でもインフラとしてのｘＤＳＬシステムを用いたネットワークが定着しつつある。ｘＤＳＬシステムはチャネル単価が安く、また、高スループット（ＩＴＵ−Ｔ  Ｇ．ｄｍｔ等の８Ｍｂｐｓ）を得られるサービスの台頭により、より一層の低廉なインフラを提供できるようになってきている。
【０００７】
しかし、上述した従来の専用線ネットワークは、多くのサービスメニューを用意し、高信頼性を保つべく、装置の監視機能や冗長構成等の複雑な機能を備え、大規模な専用のシステムを構成するため、高額な専用線ネットワークとして位置付けられ、低廉化の要請に応えるものではないという問題点がある。
【０００８】
そこで、本発明の主な目的は低廉な専用線ネットワークを提供することにある。
【０００９】
【課題を解決するための手段】
本発明の専用線ネットワークは、複数の加入者宅（図１の１，５）が接続された複数の電話局（図１の２，４）がＡＴＭネットワーク（図１の３）を介して接続された専用線ネットワークであって、加入者宅は、Ｉインターフェースを具備しユーザによって操作される通信端末装置（図１のａ）と、上り方向伝送時には通信端末装置から出力されるＩインターフェース信号を受信するとＡＴＭセル化してＳＳＤＳＬ信号に符号化し、また、下り方向伝送時には電話局からＳＳＤＳＬ信号を受信するとＡＴＭセルに復号化してＡＴＭセルからＩインターフェース信号を抽出し通信端末装置に出力するＳＳＤＳＬモデム（図１のｂ）とを備え、電話局は、ＳＳＤＳＬモデム機能を有し、上り方向伝送時には加入者宅から受信したＳＳＤＳＬ信号を復号化してＡＴＭセルをＳＴＭ−１信号に多重変換し、また、下り方向伝送時にはＡＴＭネットワークからのＳＴＭ−１信号を受信するとＳＴＭ−１信号からＡＴＭセルを抽出して、ＳＳＤＳＬ信号に符号化して加入者宅へ送信するＳＳＤＳＬ回線終端装置（図１のｃ）と、ＳＳＤＳＬ回線終端装置およびＡＴＭネットワークにダーク・ファイバーで接続され、ＳＴＭ−１信号の入出力につきＶＰ（Ｖｉｒｔｕａｌ  Ｐａｔｈ）単位でパス切替を行うＡＴＭスイッチ（図１のｄ）とを備えたことを特徴とする。
【００１０】
なお、ＳＳＤＳＬ（Ｓｙｎｃｈｒｏｎｉｚｅｄ  Ｓｙｍｍｅｔｒｉｃａｌ  Ｄｉｇｉｔａｌ  Ｓｕｂｓｃｒｉｂｅｒ  Ｌｉｎｅ）はＩＴＵ−Ｔ  Ｇ．９９２．１  Ａｎｎｅｘ  Ｈで標準化されている。また、ダーク・ファイバとは、既設でありながら使用されていない光ファイバーをいう。
【００１１】
本発明では、従来の専用線ネットワークで使用していたＳＤＨネットワーク（ＳＴＭ網）を使用せずに、ｘＤＳＬシステムを利用することにより、安価なダークファイバからＡＴＭ網に接続している。
【００１２】
また、従来の専用線の接続形態（ポイント・トゥ・ポイント）を維持するため、ｘＤＳＬの方式は、上り、下りの伝送速度が対称であるＳＳＤＳＬ方式を採用している。
【００１３】
更に、従来の専用線サービスと同一のインタフェース（Ｉインタフェース）をＳＳＤＳＬモデムが具備することにより、従来の専用線サービスから本発明のサービスに変更しても、従来の加入者宅内設備である通信端末装置を使用することができる。
【００１４】
【発明の実施の形態】
次に、本発明の実施の形態について図面を参照しながら説明する。
【００１５】
図１は本発明の専用線ネットワークの一実施例を示す。図１において、ＡＴＭネットワーク３の両側に、加入者宅１が接続された電話局２と、加入者宅５が接続された電話局４が配されている。実際には、加入者宅１，５、電話局２，４、及びＡＴＭネットワーク３はそれぞれ複数が存在するが、図１では、図面の煩雑化を回避して、それぞれ１つのみを示している。
【００１６】
加入者宅１と加入者宅５は同構成であって、ユーザによって操作される通信端末装置ａと、通信端末装置ａにＵＴＰケーブル（Ｕｎｓｈｉｅｌｄｅｄ  Ｔｗｉｓｔｅｄ−Ｐａｉｒ  Ｗｉｒｅ：より対線）で接続されたＳＳＤＳＬモデムｂとから成る。加入者宅１と加入者宅５の機能は同じであるため、以下、加入者宅の説明は加入者宅１について行う。
【００１７】
通信端末装置ａはＩＴＵ−Ｔ  Ｉ．４３１のインタフェースを有する。ＳＳＤＳＬモデムｂは、上り方向伝送時には通信端末装置ａから出力されるＩ．４３１信号１１を受信するとＡＴＭセル化してＳＳＤＳＬ信号１２に符号化し、また、下り方向伝送時には電話局２からＳＳＤＳＬ信号１２を受信するとＡＴＭセルに復号化してＡＴＭセルからＩ．４３１信号１１を抽出し通信端末装置ａに出力する。
【００１８】
電話局２，電話局４は同構成であって、複数の加入者宅１，複数の加入者宅５からのＳＳＤＳＬ加入者線ｋを収容するＳＳＤＳＬ回線終端装置ｃと、複数のＳＳＤＳＬ回線終端装置ｃ及び複数のＡＴＭネットワーク３に接続されるＡＴＭスイッチｄから成る。電話局２と電話局４の機能は同じであるため、以下、電話局宅の説明は電話局２について行う。
【００１９】
ＳＳＤＳＬ回線終端装置ｃは、ＳＳＤＳＬ加入者線ｋ毎にＳＳＤＳＬモデム機能を有し、上り方向伝送時には加入者宅１から受信したＳＳＤＳＬ信号１２を復号化してＡＴＭセルをＳＴＭ−１信号２１に多重変換し、また、下り方向伝送時にはＳＴＭ−１信号２１からＡＴＭセルを抽出して、ＳＳＤＳＬ信号１２に符号化して複数の加入者宅１へ信号を送信する。
【００２０】
ＡＴＭスイッチｄの左側は複数のＳＳＤＳＬ回線終端装置ｃ、右側は複数のＡＴＭネットワーク３に接続されており、ＡＴＭスイッチｄはＶＰ単位でパス切替を行ってＳＴＭ−１信号２１とＳＴＭ−１信号２２を入出力する。この切替信号は、データ内ヘッダー情報であるＶＰＩ（Ｖｉｒｔｕａｌ  Ｐａｔｈ  Ｉｄｅｎｔｉｆｉｅｒ）及びＶＣＩ（Ｖｉｒｔｕａｌ  Ｃｈａｎｎｅｌ  Ｉｄｅｎｔｉｆｉｅｒ）である。ＳＳＤＳＬ回線終端装置ｃとＡＴＭスイッチｄの間、およびＡＴＭスイッチｄとＡＴＭネットワーク３の間はダーク・ファイバｍで接続されている。
【００２１】
以下、本実施例の動作について説明する。
【００２２】
加入者宅１において、通信端末装置ａとＳＳＤＳＬモデムｂは、ＩＴＵ−Ｔで標準化されたＩ．４３１のインタフェースに従って通信を行う。ＳＳＤＳＬモデムｂは、通信端末装置ａから受信したデータを一度バッファに蓄積し、ＩＴＵ−Ｔ  Ｉ．３６１．１で標準化されているＡＴＭセルを生成して、バッファに蓄積されたデータを、生成したＡＴＭセルに乗せることによって、通信端末装置ａから出力されたＩＴＵ−Ｔ  Ｉ．４３１信号１１をＡＴＭセルに変換する。ＡＴＭセル化されたデータは、ＩＴＵ−Ｔ  Ｇ．９９２．１  Ａｎｎｅｘ  Ｈで標準化されている方式に従ってＳＳＤＳＬ信号１２に符号化され加入者線ｋに出力される。
【００２３】
電話局２において、ＳＳＤＳＬ回線終端装置ｃは、加入者宅１から受信したＳＳＤＳＬ信号１２を復号化しＡＴＭセルに復元する。また、ＳＳＤＳＬ回線終端装置ｃは、他の複数の加入者宅１から受信したＳＳＤＳＬ信号１２も同様に復号化する。複合化された複数の加入者宅１からのＡＴＭセルデータは、ＳＴＭ−１信号２１に多重化され、ダーク・ファイバーｍを媒体としてＡＴＭスイッチｄに送信される。
【００２４】
ＡＴＭスイッチｄは、受信したＳＴＭ−１信号２１からＡＴＭセルを抽出し、予め契約されたパスにＡＴＭセルのＶＰ変換を行い、ＳＴＭ−１フレーム化してＳＴＭ−１信号２２をＡＴＭネットワーク３に出力する。
【００２５】
電話局４において、ＡＴＭネットワーク３を介して受信したＳＴＭ−１信号３１は、ＡＴＭスイッチｄにより、ＡＴＭセルを抽出し、予め契約により設定されたパスにＡＴＭセルのＶＰ変換を行い、ＳＴＭ−１フレーム化して、ＳＳＤＳＬ回線終端装置ｃにＳＴＭ−１信号４１が転送される。ＳＳＤＳＬ回線終端装置ｃは、ＳＴＭ−１信号４１からＡＴＭセルを抽出し、ＶＣ（Ｖｉｒｔｕａｌ  Ｃｈａｎｎｅｌ）単位で収容する各加入者線へ分離し、ＳＳＤＳＬ信号４２に符号化してＳＳＤＳＬ加入者線ｋに送信する。
【００２６】
加入者宅５において、ＳＳＤＳＬ信号４２を受信したＳＳＤＳＬモデムｂは、ＳＳＤＳＬ信号４２を復号化する。復号化されたＡＴＭセル内のデータは抽出されて、一度ＳＳＤＳＬモデムｂ内のセルバッファに蓄積される。蓄積されたセルバッファ内のデータは、ＩＴＵ−Ｔ  Ｉ．４３１信号５１のフレームに乗せ換えが行われ、ＣＢＲ（Ｃｏｎｓｔａｎｔ  Ｂｉｔ  Ｒａｔｅ）で通信端末装置ａに伝送される。
【００２７】
【発明の効果】
以上説明したように、本発明は、ＳＳＤＳＬモデムとＳＳＤＳＬ回線終端装置を採用し、また、ダーク・ファイバー及びｘＤＳＬシステムを使用した既存のインフラを用いたため、従来の専用線をイメージするＩインタフェースを有するとともに、低廉な専用線ネットワークをユーザに提供することができるという効果を有する。
【図面の簡単な説明】
【図１】本発明の専用線ネットワークの一実施例を示すブロック図
【図２】従来の専用線ネットワークの構成を示すブロック図
【符号の説明】
１        加入者宅
２        電話局
３        ＡＴＭネットワーク
４        電話局
５        加入者宅
６        加入者宅
７        電話局
８        ＳＤＨネットワーク
９        電話局
１０      加入者宅
ａ        通信端末装置
ｂ        ＳＳＤＳＬモデム
ｃ        ＳＳＤＳＬ回線終端装置
ｄ        ＡＴＭスイッチ
ｅ        回線終端装置
ｆ        加入者線終端装置
ｇ        伝送端局装置
ｈ        ＵＴＰケーブル
ｋ        ＳＳＤＳＬ加入者線
ｍ        ダーク・ファイバー
１１      Ｉ．４３１信号
１２      ＳＳＤＳＬ信号
２１      ＳＴＭ−１信号
２２      ＳＴＭ−１信号
３１      ＳＴＭ−１信号
４１      ＳＴＭ−１信号
４２      ＳＳＤＳＬ信号
５１      Ｉ．４３１信号
【図１】
2005012463.tif 000003
【図２】
2005012463.tif 000004